(57)【要約】【課題】遊技者の体格、着座姿勢、嗜好等に応じて最適な音声出力方向を得ることにより、音声による演出効果を飛躍的に向上させる。【解決手段】遊技機本体１の前面側に音声出力部材（スピーカ１１）を配設した遊技機において、該音声出力部材を可動させて音声出力方向を変更可能な可動手段（回動軸１３、第１回動ギヤ１５、第１モータ１６、第１駆動ギヤ１７、第２回動ギヤ２０、第２モータ２１、第２駆動ギヤ２３、および連結ギヤ２４等）を備える。可動手段は、音声出力部材を支持部により回動可能に支持することが可能であり、また所定の移動範囲においてスライド可能に支持することが可能である。また、可動手段は、操作手段からの指示に基づき音声出力部材の音声出力方向を変更する駆動手段を含む。また、可動手段は、音声出力部材を上下方向および左右方向に可動させることが可能である。【選択図】          図２
2005095377.tif 000002
【特許請求の範囲】
【請求項１】
遊技機本体の前面側に音声出力部材を配設した遊技機において、
該音声出力部材を可動させて音声出力方向を変更可能な可動手段を備えたことを特徴とする遊技機。
【請求項２】
前記可動手段は、前記音声出力部材を支持部により回動可能に支持してなることを特徴とする請求項１記載の遊技機。
【請求項３】
前記可動手段は、前記音声出力部材を所定の移動範囲においてスライド可能に支持してなることを特徴とする請求項１または２記載の遊技機。
【請求項４】
前記可動手段は、前記音声出力部材の音声出力方向を指示する操作手段と、該操作手段からの指示に基づき前記音声出力部材の音声出力方向を変更する駆動手段とを含むことを特徴とする請求項１〜３のうちいずれか１項記載の遊技機。
【請求項５】
前記可動手段は、前記音声出力部材を上下方向および左右方向に可動させることを特徴とする請求項１〜４のうちいずれか１項記載の遊技機。
【発明の詳細な説明】
【技術分野】
【０００１】
本発明は、遊技機本体の前面側にスピーカ等の音声出力部材を配設した遊技機に関する。
【背景技術】
【０００２】
従来、遊技機本体の前面側に左右一対のスピーカが配設されており、このスピーカから遊技者に向けて効果音等の音声が発生されるようになっている（例えば、特許文献１参照）。
【０００３】
このような遊技機では、標準的な体格および着座姿勢の遊技者に合わせて音声の出力方向が定まるようにスピーカが配設されていた。
【０００４】
【特許文献１】特開２００３−１５４０７５号公報
【発明の開示】
【発明が解決しようとする課題】
【０００５】
しかしながら、遊技者の体格や着座姿勢は多様であり、標準的なスピーカの配設位置で全ての遊技者に対して最良の音響効果を上げることができるとは言い難かった。
【０００６】
また、遊技者の嗜好も多様であり、標準的なスピーカの配設位置が全ての遊技者の嗜好に合致しているとは言い難かった。
【０００７】
本発明は、上述した事情に鑑み提案されたもので、遊技者の体格、着座姿勢、嗜好等に応じて最適な音声出力方向を得ることができ、音声による演出効果を飛躍的に向上させることが可能な遊技機を提供することを目的とする。
【課題を解決するための手段】
【０００８】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【０００９】
すなわち、本発明に係る遊技機は、遊技機本体（１）の前面側に音声出力部材（スピーカ１１）を配設した遊技機において、
該音声出力部材（スピーカ１１）を可動させて音声出力方向を変更可能な可動手段を備えたことを特徴とするものである。
【００１０】
なお、回動軸１３、第１回動ギヤ１５、第１モータ１６、および第１駆動ギヤ１８等が、スピーカボックス１２を回動させるための可動手段として機能し、第２回動ギヤ２０、第２モータ２１、第２駆動ギヤ２３、および連結ギヤ２４等が、スピーカ１１を回動させるための可動手段として機能する。
【００１１】
このような構成からなる遊技機では、可動手段により、音声出力部材（スピーカ１１）を動かして音声出力方向を変更することができる。
【００１２】
ここで、前記可動手段は、前記音声出力部材（スピーカ４１）を支持部により回動可能に支持してなることが可能である。
なお、例えば支柱４４等が支持部として機能する。
【００１３】
このような構成からなる遊技機では、支持部（支柱４４）を回動支点として音声出力部材（スピーカ４１）を回動させることにより、音声出力部材（スピーカ４１）の音声出力方向を変更することができる。
【００１４】
また、前記可動手段は、前記音声出力部材（スピーカ５１）を所定の移動範囲においてスライド可能に支持してなることが可能である。
【００１５】
なお、例えばガイドレール５３によりスピーカボックス５２を支持することにより、スピーカ５１を所定の移動範囲においてスライド可能に支持することができる。
【００１６】
このような構成からなる遊技機では、音声出力部材（スピーカ５１）をガイドレール５３に沿ってスライドさせることにより、音声出力部材（スピーカ５１）の位置を変更することができる。
【００１７】
また、前記可動手段は、前記音声出力部材の音声出力方向を指示する操作手段（スピーカ操作部１０）と、該操作手段（スピーカ操作部１０）からの指示に基づき前記音声出力部材（スピーカ１１）の音声出力方向を変更する駆動手段（第１モータ１６、第２モータ２１等）とを含んで構成することが可能である。
【００１８】
このような構成からなる遊技機では、遊技者等が操作手段（スピーカ操作部１０）を操作すると、駆動手段（第１モータ１６、第２モータ２１等）が駆動して、音声出力部材（スピーカ１１）の音声出力方向を変更することができる。
【００１９】
また、前記可動手段は、前記音声出力部材を上下方向および左右方向に可動させることが可能である。
【００２０】
このような構成からなる遊技機では、遊技者の嗜好により具体的に応じて、音声出力部材（スピーカ１１）を動かして、音声出力方向を変更することができる。
【００２１】
なお、特開２００３−６２１５６号公報には、遊技機本体の前面にスピーカを収納するスピーカ収納体を回動可能に結合した遊技機が開示されている。しかしながら、この遊技機は、遊技機本体における他の部品などの配置スペースを狭めることなく、また遊技場への搬送などに支障を来すことなく、遊技者への音響効果を有効に高めることを目的としたものであり、本発明に係る遊技機とは目的および作用効果が全く異なっている。また、該公報には、スピーカの音声出力方向を変更することにより、遊技者の嗜好に合わせて音声出力方向を調整するという、本発明に係る遊技機に特有の目的および作用効果への示唆も記載されていない。
【発明の効果】
【００２２】
本発明に係る遊技機によれば、可動手段を用いて音声出力部材を可動させて音声出力方向を変更可能とすることにより、遊技者の体格、着座姿勢、嗜好等に応じて最適な音声出力方向を得て、音声による演出効果を飛躍的に向上させることが可能となる。
【発明を実施するための最良の形態】
【００２３】
以下、図面に基づいて、本発明の実施形態を説明する。
本発明の実施形態に係る遊技機は、例えばパチンコ機、パチスロ遊技機等のように、遊技機本体の前面側にスピーカを備えたものである。
【００２４】
＜第１の実施形態＞
図１および図２は、本発明の第１の実施形態に係る遊技機を示すもので、代表的な遊技機としてパチンコ機を例にとったものである。図１は、パチンコ機の斜視図であり、図２（ａ）は、右側スピーカを正面から見た状態の内部構造図、図２（ｂ）は、右側スピーカを上側から見た状態の内部構造図、図２（ｃ）は、右側スピーカを右側面から見た状態の内部構造図である。
【００２５】
＜パチンコ機＞
本発明の実施形態に係るパチンコ機は、図１に示すように、遊技機本体１（機枠）の前面に、前面枠２が開閉可能に取り付けられており、前面枠２には、遊技盤（図示せず）、下皿３、発射ハンドル４等が設けられている。また、前面枠２には、遊技盤の前面を塞ぐ位置に正面扉５が開閉可能に取り付けられており、正面扉５の下方には上皿ユニット６が開閉可能に取り付けられている。
【００２６】
正面扉５の上部には、左右一対のスピーカ１１がスピーカボックス１２に収納された状態で取り付けられており、スピーカ１１は後に詳述する可動手段により音声出力方向が変更可能となっている。
【００２７】
上皿ユニット６には、遊技球の払出口７に臨むようにして上皿８が形成されており、上皿８の手前側には遊技球の貸し出し等の操作を行うための操作部９と、スピーカ１１の音声出力方向を指示するためのスピーカ操作部１０とが設けられている。
【００２８】
＜スピーカ＞
スピーカ１１は、スピーカボックス１２内に収納されている。このスピーカボックス１２およびスピーカ１１の構造を、図２（ａ）、（ｂ）および（ｃ）に示す右側スピーカについて説明する。なお、左側スピーカも、図２に示す右側スピーカとほぼ同様の構成を備えている。
【００２９】
スピーカボックス１２の内側端部には、回動軸１３が突出して設けられている。一方、遊技機本体１には、回動軸１３を挿通するための回動軸挿通孔１４が設けられており、この回動軸挿通孔１４に回動軸１３を挿通することにより、スピーカボックス１２を回動可能に支持している。
【００３０】
回動軸１３の外周には、遊技機本体１内に位置するようにして第１回動ギヤ１５が設けられている。また、遊技機本体１内には、回動軸１３を回動するための第１モータ１６が配設されており、第１モータ１６の駆動軸１７に設けた第１駆動ギヤ１８が、回動軸１３に設けた第１回動ギヤ１５に噛み合うようになっている。
【００３１】
したがって、第１モータ１６を駆動することにより、第１駆動ギヤ１８および第１回動ギヤ１５を介して回動軸１３が回転し、スピーカボックス１２を回動させることができる。これにより、スピーカ１１の音声出力方向を上下の任意の方向に変更することができる（図２（ｃ）参照）。
【００３２】
また、スピーカ１１は、スピーカボックス１２内において、上下一対の支持軸１９により回動可能に支持されており、上側の支持軸１９の外周には、第２回動ギヤ２０が設けられている。また、スピーカボックス１２内には、支持軸１９を駆動するための第２モータ２１が配設されており、第２モータ２１の駆動軸２２に設けた第２駆動ギヤ２３が、連結ギヤ２４を介して支持軸１９に設けた第２回動ギヤ２０に噛み合うようになっている。
【００３３】
したがって、第２モータ２１を駆動することにより、第２駆動ギヤ２３、連結ギヤ２４、および第２回動ギヤ２０を介して支持軸１９が回転し、スピーカ１１を回動させることができる。これにより、スピーカ１１の音声出力方向を左右の任意の方向に変更することができる（図２（ｂ）参照）。
なお、第１モータ１６および第２モータ２１は、遊技者等がスピーカ操作部１０を操作することにより駆動される。
【００３４】
このように、本実施形態に係るパチンコ機では、遊技者等によりスピーカ操作部１０が操作されると、第１モータ１６および第２モータ２１がそれぞれ駆動され、スピーカ１１の音声出力方向を上下左右の任意の方向に変更することができる。
なお、スピーカ操作部１０と同等の機能を有する操作手段を管理室等に設け、この操作手段を操作することにより、全遊技機におけるスピーカ１１の音声出力方向を強制的に遊技者に向けて、店内緊急放送等を行うように構成してもよい。
【００３５】
なお、第１モータ１６および第２モータ２１によりスピーカボックス１２およびスピーカ１１を回転させるのではなく、このような駆動機構を設けずに手動でスピーカボックス１２およびスピーカ１１を回転させるように構成してもよい。
【００３６】
＜第２の実施形態＞
図３および図４は、本発明の第２の実施形態に係る遊技機に用いるスピーカボックスを示すもので、図３（ａ）および（ｂ）は、スピーカボックスを右側面から見た状態の内部構造図、図４は、スピーカボックスの斜視図である。
【００３７】
本実施形態に係る遊技機に用いるスピーカボックス３２は、詳細には図示しないが、遊技機本体１の前面側に左右一対設けられている。
【００３８】
スピーカボックス３２は、図３および図４に示すように、内部にスピーカ３１を収容した円筒状の部材で、前面の外周にはフランジ３３が設けられており、背面には回動ギヤ３４が設けられている。
【００３９】
遊技機本体１の前面には、スピーカボックス３２に設けたフランジ３３を回動可能に支持する支持溝３５が設けられている。また、遊技機本体１内には、スピーカボックス３２を駆動するためのモータ３６が配設されており、モータ３６の駆動軸３７に設けた駆動ギヤ３８が、スピーカボックス３２の背面に設けた回動ギヤ３４に噛み合うようになっている。
【００４０】
また、スピーカ３１は、スピーカボックス３２の回転軸方向に対して角度αだけ偏心するようにして、スピーカボックス３２内に取り付けられている。
【００４１】
したがって、モータ３６を駆動することにより、駆動ギヤ３８および回動ギヤ３４を介してスピーカボックス３２が回転し、スピーカボックス３２の回転軸方向に対して偏心して取り付けられたスピーカ３１の音声出力方向を上下左右の任意の方向に変更することができる（図３（ａ）および（ｂ）参照）。
【００４２】
なお、スピーカ３１の偏心角度αは、適宜変更して実施することができる。
また、モータ３６によりスピーカボックス３２を回転させるのではなく、このような駆動機構を設けずに手動でスピーカボックス３２を回転させるように構成してもよい。
【００４３】
＜第３の実施形態＞
図５は、本発明の第３の実施形態に係る遊技機の一部を示す斜視図である。
【００４４】
本実施形態に係る遊技機は、遊技機本体１の前面側に左右１対のスピーカ４１が配設されている。なお、図５においては、遊技機の前面側から見て右側に配設された右側スピーカのみを図示しているが、遊技機の前面側から見て左側にも、図１に示す右側スピーカと左右対称となるようにして、左側スピーカが配設されている。
【００４５】
本実施形態に係る遊技機は、遊技機本体１の前面左右側部に位置するようにして、上下一対の支持部４３が突出して設けられており、両支持部４３の間にスピーカボックス４２を移動可能に支持するための支柱４４が掛け渡されている。なお、図５においては、下側の支持部４３は図示を省略している。
【００４６】
スピーカ４１は、スピーカボックス４２内に収納されており、スピーカボックス４２の背面には、スピーカボックス４２を支柱４４へ取り付けるための取付部材４５が設けられている。
【００４７】
取付部材４５の先端部には、支柱４４を挿通するための挿通孔４６が設けられている。また、取付部材４５の外周部から挿通孔４６へ向かってネジ孔（図示せず）が設けられており、ネジ孔には止着ネジ４７が取り付けられている。
【００４８】
本実施形態に係る遊技機では、止着ネジ４７を緩めてその先端部を支柱４４から離すことにより、支柱４４に対して取付部材４５が遊嵌状態となり、支柱４４の長さの範囲内でスピーカボックス４２を上下に移動させることができ、また支柱４４を回動支点としてスピーカボックス４２を回動させることができる。
【００４９】
そして、スピーカボックス４２を所望の位置および方向に移動させた後に、止着ネジ４７を締め付けてその先端部を支柱４４に押し付けることにより、スピーカボックス４２を支柱４４に止着することができる。これにより、スピーカボックス４２を上下左右の任意の方向に向けて、スピーカ４１の音声出力方向を変更することができる。
【００５０】
また、スピーカ配線４８は、スピーカボックス４２の背面から引き出され、上側の支持部４３の内部を介して遊技機本体１内に導かれている。遊技機本体１内には、スピーカ配線４８を巻き取るための巻取部材４９が配設されている。この巻取部材４９は、バネ等の付勢部材（図示せず）の付勢力によりスピーカ配線４８を巻き取る方向に付勢されており、スピーカボックス４２を移動させた際にスピーカ配線４８が弛まないようになっている。
【００５１】
＜第４の実施形態＞
図６は、本発明の第４の実施形態に係る遊技機の一部を示す斜視図である。
【００５２】
本実施形態に係る遊技機は、遊技機本体１の前面側に左右１対のスピーカ５１が配設されている。なお、図６においては、遊技機の前面側から見て右側に配設された右側スピーカのみを図示しているが、遊技機の前面側から見て左側にも、図６に示す右側スピーカと左右対称となるようにして、左側スピーカが配設されている。
【００５３】
本実施形態に係る遊技機は、遊技機本体１の前面左右上部に位置するようにして、横方向にガイドレール５３が設けられており、このガイドレール５３にスピーカボックス５２が移動可能に取り付けられている。また、詳細には図示しないが、スピーカボックス５２は、軸受け構造を有しており、内部に収納したスピーカ５１を任意の方向に回動させることができる。
【００５４】
本実施形態に係る遊技機では、ガイドレール５３の長さの範囲内でスピーカボックス５２を左右に移動させることができ、またスピーカボックス５２に設けた軸受け構造により、スピーカボックス５２を任意の方向に回動させることができる。これにより、スピーカボックス５２を上下左右の任意の方向に向けて、スピーカ５１の音声出力方向を変更することができる。
【００５５】
＜他の実施形態＞
なお、本発明は、パチンコ機、パチスロ遊技機、スロットマシン、アレンジボール遊技機、ゲームマシン等、遊技機本体の前面側にスピーカを備えた遊技機であれば、どのような遊技機にも適用することができる。
【００５６】
また、上記各実施形態で使用するスピーカは、コーンスピーカ、ドームスピーカ、ホーンスピーカ等、どのような形状のスピーカを用いてもよいが、特に音声指向性に優れ、スポットライトのように所定箇所に音声を集中することができるパラメトリックスピーカを用いることが好ましい。
【００５７】
パラメトリックスピーカとは、音声出力方向の狭いエリアにビーム状に音声を集中させることが可能なスピーカであり、非可聴帯域の超音波を発生させ、この超音波が空気を伝搬する過程で発生する歪み成分を利用することによって可聴帯域の音声を得る原理を利用したものである。
【００５８】
このようなパラメトリックスピーカを用いることにより、スピーカの位置および向きを調整して音響効果を著しく異ならせることができ、遊技者の体格、着座姿勢、嗜好等に応じて最適な音声出力方向を得て、音声による演出効果を飛躍的に向上させることが可能となる。また、音声出力を望まない遊技者の場合には、スピーカの向きを耳からずらすことにより遊技者に音声が届かなくなり、遊技者の嗜好に応じた快適な遊技を行うことができる。
【図面の簡単な説明】
【００５９】
【図１】本発明の第１の実施形態に係るパチンコ機の斜視図
【図２】本発明の第１の実施形態において、右側スピーカを正面から見た状態の内部構造図（ａ）、右側スピーカを上側から見た状態の内部構造図（ｂ）、右側スピーカを右側面から見た状態の内部構造図（ｃ）
【図３】本発明の第２の実施形態において、スピーカボックスを右側面から見た状態の内部構造図
【図４】本発明の第２の実施形態におけるスピーカボックスの斜視図
【図５】本発明の第３の実施形態に係る遊技機の一部を示す斜視図
【図６】本発明の第４の実施形態に係る遊技機の一部を示す斜視図
【符号の説明】
【００６０】
１      遊技機本体
２      前面枠
３      下皿
４      発射ハンドル
５      正面扉
６      上皿ユニット
７      払出口
８      上皿
９      操作部
１０      スピーカ操作部
１１      スピーカ
１２      スピーカボックス
１３      回動軸
１４      回動軸挿通孔
１５      第１回動ギヤ
１６      第１モータ
１７      駆動軸
１８      第１駆動ギヤ
１９      支持軸
２０      第２回動ギヤ
２１      第２モータ
２２      駆動軸
２３      第２駆動ギヤ
２４      連結ギヤ
３１      スピーカ
３２      スピーカボックス
３３      フランジ
３４      回動ギヤ
３５      支持溝
３６      モータ
３７      駆動軸
３８      駆動ギヤ
４１      スピーカ
４２      スピーカボックス
４３      支持部
４４      支柱
４５      取付部材
４６      挿通孔
４７      止着ネジ
４８      スピーカ配線
４９      巻取部材
５１      スピーカ
５２      スピーカボックス
５３      ガイドレール
【図１】
2005095377.tif 000003
【図２】
2005095377.tif 000004
【図３】
2005095377.tif 000005
【図４】
2005095377.tif 000006
【図５】
2005095377.tif 000007
【図６】
2005095377.tif 000008